(57)【要約】      （修正有）【課題】ＩＳＤＢ-Ｔ方式と比べて、送信すべき伝送パラメータの数が多く、１ＯＦＤＭフレームあたりのＯＦＤＭシンボル数が少ない場合であっても、ＴＭＣＣによって、伝送耐性を確保しつつ、送信すべき伝送パラメータを伝送する。【解決手段】データ合成・分離部１０Ｂは、ＦＦＴサイズが４ｋポイントである場合には、出力されるＴＭＣＣ信号に対して１３６ビットの同期用ビットを付与し、ＦＦＴサイズが８ｋポイントである場合には、出力されるＴＭＣＣ信号各々に対して、６４ビットの同期用ビットを付与し、ＦＦＴサイズが１６ｋポイントである場合には、出力されるＴＭＣＣ信号の各々に対して、３２ビットの同期用ビットを付与し、ＦＦＴサイズが３２ｋポイントである場合には、出力されるＴＭＣＣ信号に対して１７ビットの同期用ビットを付与するように構成されている。【選択図】図２
2015070279.tif 000002
【特許請求の範囲】
【請求項１】
送信装置であって、
ＦＴＴサイズに基づいて、ＴＭＣＣ情報を送信するためのキャリアの数を変更するように構成されていることを特徴とする送信装置。
【請求項２】
送信装置であって、
ＴＭＣＣ情報に対応するランクに基づいて、該ＴＭＣＣ情報に対して施すべき変調方式及び誤り訂正符号化方式の少なくとも一方を変更するように構成されていることを特徴とする送信装置。
【請求項３】
送信装置であって、
ＴＭＣＣ情報で、ネクスト情報については常時送信しないように構成されており、
伝送パラメータを切り替える際の所定期間において、前記ＴＭＣＣ情報で、カレント情報及びネクスト情報を交互に送信するように構成されていることを特徴とする送信装置。
【請求項４】
前記ＴＭＣＣ情報に対してキャリア変調処理を施した信号に対して、周波数方向のインターリーブ処理及び時間方向のインターリーブ処理を施すように構成されていることを特徴とする請求項１乃至３のいずれか一項に記載の送信装置。
【請求項５】
受信装置であって、
ＦＴＴサイズに基づいて、ＴＭＣＣ情報を含む信号に対して施す復調処理の方法を変更するように構成されていることを特徴とする受信装置。
【請求項６】
受信装置であって、
ＴＭＣＣ情報に対応するランクに基づいて、該ＴＭＣＣ情報を取得するために使用すべき復調方式及び誤り訂正復号化方式の少なくとも一方を変更するように構成されていることを特徴とする受信装置。
【請求項７】
受信装置であって、
ＴＭＣＣ情報から、ネクスト情報については常時取得しないように構成されており、
伝送パラメータを切り替える際の所定期間において、前記ＴＭＣＣ情報から、カレント情報及びネクスト情報を交互に取得するように構成されていることを特徴とする受信装置。
【請求項８】
前記ＴＭＣＣ情報を含む信号に対して、周波数方向のインターリーブ処理及び時間方向のインターリーブ処理を施した後に、キャリア復調処理を施すように構成されていることを特徴とする請求項５乃至７のいずれか一項に記載の受信装置。
【請求項９】
受信装置に搭載されるチップであって、
ＦＴＴサイズに基づいて、ＴＭＣＣ情報を含む信号に対して施す復調処理の方法を変更するように構成されていることを特徴とするチップ。
【請求項１０】
受信装置に搭載されるチップであって、
ＴＭＣＣ情報に対応するランクに基づいて、該ＴＭＣＣ情報を取得するために使用すべき復調方式及び誤り訂正復号化方式の少なくとも一方を変更するように構成されていることを特徴とするチップ。
【請求項１１】
受信装置に搭載されるチップであって、
ＴＭＣＣ情報から、ネクスト情報については常時取得しないように構成されており、
伝送パラメータを切り替える際の所定期間において、前記ＴＭＣＣ情報から、カレント情報及びネクスト情報を交互に取得するように構成されていることを特徴とするチップ。
【請求項１２】
前記ＴＭＣＣ情報を含む信号に対して、周波数方向のインターリーブ処理及び時間方向のインターリーブ処理を施した後に、キャリア復調処理を施すように構成されていることを特徴とする請求項９乃至１１のいずれか一項に記載のチップ。
【発明の詳細な説明】
【技術分野】
【０００１】
本発明は、送信装置、受信装置及びチップに関する。
【背景技術】
【０００２】
現在の日本における地上デジタル放送方式であるＩＳＤＢ-Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  -  Ｔｅｒｒｅｓｔｒｉａｌ）方式では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームにおいて、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）を送信するためのキャリアに対して、ＯＦＤＭシンボル方向にＴＭＣＣを割り当てて伝送するように構成されている（非特許文献１参照）。
【０００３】
ここで、ＴＭＣＣは、フレーム同期ビットや誤り訂正符号のパリティ等を含む制御情報である。
【０００４】
また、ＩＳＤＢ-Ｔ方式では、ＴＭＣＣに対する変調方式としてＢＰＳＫが用いられ、１ＯＦＤＭフレームを２０４個のＯＦＤＭシンボルによって構成していることから、２０４ビットの信号（フレーム同期ビットや誤り訂正符号のパリティ等を含む）でＴＭＣＣを伝送するように構成されている。
【０００５】
そして、同じＴＭＣＣを送信するためのキャリアを複数用いることで、マルチパスの影響を受け難くしている。
【先行技術文献】
【非特許文献】
【０００６】
【非特許文献１】ＡＲＩＢ  ＳＴＤ-Ｂ３１
【非特許文献２】Ｔ.Ｓｈｉｔｏｎｅ他、「Ａ  Ｓｔｕｄｙ  ｏｎ  Ａｄｖａｎｃｅｄ  Ｓｉｎｇｌｅ  Ｆｒｅｑｕｅｎｃｙ  Ｎｅｔｗｏｒｋ  Ｔｅｃｈｎｏｌｏｇｙ  Ｕｓｉｎｇ  ＳＴＣ-ＳＤＭ  Ｔｒａｎｓｍｉｓｓｉｏｎ」、ＩＥＥＥ  ＢＭＳＢ、ｍｍ１３-１３６、２０１３年
【発明の概要】
【発明が解決しようとする課題】
【０００７】
一方、次世代地上デジタル放送法式では、伝送容量の拡大のために、変調方式として多値化やＭＩＭＯ伝送方式の導入が検討されている（非特許文献２参照）。
【０００８】
その結果、ＩＳＤＢ-Ｔ方式と比べると、ＴＭＣＣによって送信すべき伝送パラメータの数が飛躍的に増加することが想定される。
【０００９】
さらに、次世代地上デジタル放送法式では、伝送容量の拡大のために、ＩＳＤＢ-Ｔ方式で用いられているＦＦＴ（Ｆａｓｔ  Ｆｏｕｒｉｅｒ  Ｔｒａｎｓｆｏｒｍ）サイズである８,１９２ポイント（８ｋポイント）を拡張して、最大で、３２,７６８ポイント（３２ｋポイント）とすることが検討されている。
【００１０】
ここで、ＦＦＴサイズが４倍になると、ＯＦＤＭフレーム長やＯＦＤＭシンボル長も４倍になり、同期確立やチャネル切り替えに時間を要することから、１ＯＦＤＭフレームあたりのＯＦＤＭシンボル数を少なくすることが検討されている。
【００１１】
以上のような状況を考慮すると、ＩＳＤＢ-Ｔ方式と同じＴＭＣＣでは、伝送耐性を確保しつつ、送信すべき伝送パラメータを伝送することが困難であるという問題点があった。
【００１２】
そこで、本発明は、上述の課題に鑑みてなされたものであり、ＩＳＤＢ-Ｔ方式と比べて、送信すべき伝送パラメータの数が多く、１ＯＦＤＭフレームあたりのＯＦＤＭシンボル数が少ない場合であっても、ＴＭＣＣによって、伝送耐性を確保しつつ、送信すべき伝送パラメータを伝送することができる送信装置、受信装置及びチップを提供することを目的とする。
【課題を解決するための手段】
【００１３】
本発明の第１の特徴は、送信装置であって、ＦＴＴサイズに基づいて、ＴＭＣＣ情報を送信するためのキャリアの数を変更するように構成されていることを要旨とする。
【００１４】
本発明の第２の特徴は、送信装置であって、ＴＭＣＣ情報に対応するランクに基づいて、該ＴＭＣＣ情報に対して施すべき変調方式及び誤り訂正符号化方式の少なくとも一方を変更するように構成されていることを要旨とする。
【００１５】
本発明の第３の特徴は、送信装置であって、ＴＭＣＣ情報で、ネクスト情報については常時送信しないように構成されており、伝送パラメータを切り替える際の所定期間において、前記ＴＭＣＣ情報で、カレント情報及びネクスト情報を交互に送信するように構成されていることを要旨とする。
【００１６】
本発明の第４の特徴は、受信装置であって、ＦＴＴサイズに基づいて、ＴＭＣＣ情報を含む信号に対して施す復調処理の方法を変更するように構成されていることを要旨とする。
【００１７】
本発明の第５の特徴は、受信装置であって、ＴＭＣＣ情報に対応するランクに基づいて、該ＴＭＣＣ情報を取得するために使用すべき復調方式及び誤り訂正復号化方式の少なくとも一方を変更するように構成されていることを要旨とする。
【００１８】
本発明の第６の特徴は、受信装置であって、ＴＭＣＣ情報から、ネクスト情報については常時取得しないように構成されており、伝送パラメータを切り替える際の所定期間において、前記ＴＭＣＣ情報から、カレント情報及びネクスト情報を交互に取得するように構成されていることを要旨とする。
【００１９】
本発明の第７の特徴は、受信装置に搭載されるチップであって、ＦＴＴサイズに基づいて、ＴＭＣＣ情報を含む信号に対して施す復調処理の方法を変更するように構成されていることを要旨とする。
【００２０】
本発明の第８の特徴は、受信装置に搭載されるチップであって、ＴＭＣＣ情報に対応するランクに基づいて、該ＴＭＣＣ情報を取得するために使用すべき復調方式及び誤り訂正復号化方式の少なくとも一方を変更するように構成されていることを要旨とする。
【００２１】
本発明の第９の特徴は、受信装置に搭載されるチップであって、ＴＭＣＣ情報から、ネクスト情報については常時取得しないように構成されており、伝送パラメータを切り替える際の所定期間において、前記ＴＭＣＣ情報から、カレント情報及びネクスト情報を交互に取得するように構成されていることを要旨とする。
【発明の効果】
【００２２】
以上説明したように、本発明によれば、ＩＳＤＢ-Ｔ方式と比べて、送信すべき伝送パラメータの数が多く、１ＯＦＤＭフレームあたりのＯＦＤＭシンボル数が少ない場合であっても、ＴＭＣＣによって、伝送耐性を確保しつつ、送信すべき伝送パラメータを伝送することができる送信装置、受信装置及びチップを提供することができる。
【図面の簡単な説明】
【００２３】
【図１】本発明の第１の実施形態に係るデジタル放送システムによって用いられるＯＦＤＭフレームの一例を示す図である。
【図２】本発明の第１の実施形態に係る送信装置のＴＭＣＣ変調部の機能ブロック図である。
【図３】本発明の第１の実施形態に係る送信装置によって送信されるＴＭＣＣ情報の一例を示す図である。
【図４】本発明の第１の実施形態に係る送信装置によって送信されるＴＭＣＣ情報内の伝送システム識別の一例を示す図である。
【図５】本発明の第１の実施形態に係る送信装置によって送信されるＴＭＣＣ情報内のカレント情報及びネクスト情報内のＡ階層伝送パラメータ〜Ｃ階層伝送パラメータの一例を示す図である。
【図６】本発明の第１の実施形態に係る送信装置によって送信されるＴＭＣＣ情報内のカレント情報及びネクスト情報内のＡ階層伝送パラメータ〜Ｃ階層伝送パラメータの一例を示す図である。
【図７】本発明の第１の実施形態に係る送信装置のデータ合成・分離部の出力信号の一例を示す図である。
【図８】本発明の第１の実施形態に係る受信装置のＴＭＣＣ復調部の機能ブロック図である。
【図９】本発明の第２の実施形態に係る送信装置によって送信されるＴＭＣＣ情報の一例を示す図である。
【図１０】本発明の第２の実施形態に係る送信装置によって送信されるＴＭＣＣ情報内のカレント情報及びネクスト情報内のＡ階層伝送パラメータ〜Ｃ階層伝送パラメータの一例を示す図である。
【図１１】本発明の第２の実施形態に係る送信装置によって送信されるＴＭＣＣ情報内のカレント情報及びネクスト情報内のＡ階層伝送パラメータ〜Ｃ階層伝送パラメータの一例を示す図である。
【図１２】本発明の第２の実施形態に係る送信装置によって送信されるＴＭＣＣ情報内のカレント情報及びネクスト情報内のＡ階層伝送パラメータ〜Ｃ階層伝送パラメータの一例を示す図である。
【発明を実施するための形態】
【００２４】
（本発明の第１の実施形態）
図１乃至図８を参照して、本発明の第１の実施形態に係るデジタル放送システムについて説明する。
【００２５】
本実施形態に係るデジタル放送システムは、次世代地上放送方式に対応するデジタル放送システムであって、送信装置及び受信装置を具備している。例えば、送信装置は、放送局に設置され、受信装置は、各家庭等に設置されることが想定される。
【００２６】
また、本実施形態に係るデジタル放送システムでは、図１に示す伝送パラメータによって生成された１セグメントあたりのＯＦＤＭフレームが用いられるものとする。
【００２７】
図１において、「ｎｏｒｍａｌ」は、現在のＩＳＤＢ-Ｔ方式と同様に、１つの帯域を１３セグメントに分けた場合の伝送パラメータであり、「ｅｘｔｅｎｄｅｄ」は、１つの帯域を２７セグメントに分けた場合の伝送パラメータである。
【００２８】
かかるＯＦＤＭフレームでは、ＯＦＤＭフレーム長が、ＦＦＴサイズに関わらず一定である。
【００２９】
また、１ＯＦＤＭあたりのＯＦＤＭシンボル数が、ＦＦＴサイズが４,０９６ポイント（４ｋポイント）である場合に「５１２」であり、ＦＦＴサイズが８,１９２ポイント（８ｋポイント）である場合に「２５６」であり、ＦＦＴサイズが１６,３８４ポイント（１６ｋポイント）である場合に「１２８」であり、ＦＦＴサイズが３２,７６８ポイント（３２ｋポイント）である場合に「６４」である。
【００３０】
ここで、１本のキャリアを用いてＢＰＳＫによってＴＭＣＣ情報を変調して伝送するものとすると、ＦＦＴサイズが４ｋポイントである場合には、１ＯＦＤＭあたり５１２ビットのＴＭＣＣ情報を伝送することができ、ＦＦＴサイズが８ｋポイントである場合には、１ＯＦＤＭあたり２５６ビットのＴＭＣＣ情報を伝送することができ、ＦＦＴサイズが１６ｋポイントである場合には、１ＯＦＤＭあたり１２８ビットのＴＭＣＣ情報を伝送することができ、ＦＦＴサイズが３２ｋポイントである場合には、１ＯＦＤＭあたり６４ビットのＴＭＣＣ情報を伝送することができる。
【００３１】
図２に示すように、本実施形態に係る送信装置は、ＴＭＣＣ情報を変調するように構成されているＴＭＣＣ変調部１０を具備している。
【００３２】
ＴＭＣＣ変調部１０は、図２に示すように、誤り訂正符号化部１１Ａ/１２Ａと、データ合成・分離部１０Ｂと、差動変調部１０Ｃと、キャリア変調部１０Ｄと、時間・周波数インターリーブ部１０Ｅとを具備している。
【００３３】
なお、本実施形態に係る送信装置は、ＦＦＴサイズに関わらずにＴＭＣＣ情報の伝送容量を確保するために、ＦＴＴサイズに基づいて、ＴＭＣＣ情報を送信するためのキャリアの数を変更するように構成されていてもよい。
【００３４】
例えば、本実施形態に係る送信装置は、ＦＦＴサイズが４ｋポイントである場合には、１本のキャリア（５１２ビット）でＴＭＣＣ信号を伝送し、ＦＦＴサイズが８ｋポイントである場合には、２本のキャリア（２５６ビット×２＝５１２ビット）を１つのブロックとしてＴＭＣＣ信号を伝送し、ＦＦＴサイズが１６ｋポイントである場合には、４本のキャリア（１２８ビット×４＝５１２ビット）を１つのブロックとしてＴＭＣＣ信号を伝送し、ＦＦＴサイズが３２ｋポイントである場合には、８本のキャリア（６４ビット×８＝５１２ビット）を１つのブロックとしてＴＭＣＣ信号を伝送するように構成されている。
【００３５】
なお、ＴＭＣＣ信号は、フレーム同期を取るための同期用ビットと、ＴＭＣＣ情報を送信するためのＴＭＣＣ情報用ビットで構成されている。
【００３６】
ここで、図３乃至図６に、ＴＭＣＣ変調部１０によって変調されるＴＭＣＣ情報＃１及びＴＭＣＣ情報＃２の一例を示す。
【００３７】
例えば、ＴＭＣＣ情報＃１は、１９０ビットで構成されており、「システム識別」や「伝送システム識別」や「緊急情報起動フラグ」といった階層によらない伝送パラメータや、階層ごとの伝送パラメータを含む。一方、ＴＭＣＣ情報＃２は、「ＮＴＰ（Ｎｅｔｗｏｒｋ  Ｔｉｍｅ  Ｐｒｏｔｏｃｏｌ）  ｄａｔａ」等の上位レイヤの同期に役立てる時刻情報等を含む。なお、これらのＴＭＣＣ情報＃１及びＴＭＣＣ情報＃２に含まれる情報は、一例であり、図３乃至図６に示す内容に限定されるものではない。
【００３８】
また、本実施形態に係る送信装置は、ＴＭＣＣ情報に対応するランク（或いは、優先度）に基づいて、かかるＴＭＣＣ情報に対して施すべき変調方式及び誤り訂正符号化方式の少なくとも一方を変更するように構成されていてもよい。
【００３９】
例えば、本実施形態では、ＴＭＣＣ情報＃１に対応するランク及びＴＭＣＣ情報＃２に対応するランクが異なるように構成されていてもよい。
【００４０】
誤り訂正符号化部１１Ａは、入力されたＴＭＣＣ情報＃１に対して誤り訂正符号化処理を施し、誤り訂正符号化部１２Ａは、入力されたＴＭＣＣ情報＃２に対して誤り訂正符号化処理を施すように構成されている。
【００４１】
例えば、誤り訂正符号化部１１Ａは、差集合巡回符号（２７３,１９１）を短縮化した符号である（２７２,１９０）符号を用いて、ＴＭＣＣ情報＃１（例えば、ランク＃１）に対して誤り訂正符号化処理を施し、誤り訂正符号化部１２Ａは、差集合巡回符号（２７３,１９１）を短縮化した符号である（２０８,１２６）符号を用いて、ＴＭＣＣ情報＃２（例えば、ランク＃２）に対して誤り訂正符号化処理を施すように構成されていてもよい。
【００４２】
データ合成・分離部１０Ｂは、ＴＭＣＣ情報＃１及びＴＭＣＣ情報＃２を合成した後、ＦＦＴサイズに応じた数に分離するように構成されている。
【００４３】
例えば、データ合成・分離部１０Ｂは、ＦＦＴサイズが４ｋポイントである場合には、ＴＭＣＣ情報＃１及びＴＭＣＣ情報＃２の合成情報をそのまま出力し、ＦＦＴサイズが８ｋポイントである場合には、ＴＭＣＣ情報＃１及びＴＭＣＣ情報＃２の合成情報を２つに分離して出力し、ＦＦＴサイズが１６ｋポイントである場合には、ＴＭＣＣ情報＃１及びＴＭＣＣ情報＃２の合成情報を４つに分離して出力し、ＦＦＴサイズが３２ｋポイントである場合には、ＴＭＣＣ情報＃１及びＴＭＣＣ情報＃２の合成情報を８つに分離して出力するように構成されていてもよい。
【００４４】
ここで、データ合成・分離部１０Ｂは、分離したＴＭＣＣ情報に対して、同期用ビットを付加するように構成されている。
【００４５】
なお、データ合成・分離部１０Ｂは、ＦＦＴサイズが４ｋポイントである場合には、出力されるＴＭＣＣ信号＃Ａに対して１３６ビットの同期用ビットを付与し（図７（ａ）参照）、ＦＦＴサイズが８ｋポイントである場合には、出力されるＴＭＣＣ信号＃Ａ〜＃Ｂの各々に対して、６４ビットの同期用ビットを付与し、ＦＦＴサイズが１６ｋポイントである場合には、出力されるＴＭＣＣ信号＃Ａ〜＃Ｄの各々に対して、３２ビットの同期用ビットを付与し、ＦＦＴサイズが３２ｋポイントである場合には、出力されるＴＭＣＣ信号＃Ａ〜＃Ｈに対して１７ビットの同期用ビットを付与するように構成されている（図７（ｂ）参照）。
【００４６】
かかる構成によれば、ＦＦＴサイズによって同期用ビットの長さを変えることで、疑似同期が現れにくくなると共に、ＴＭＣＣ情報用ビットの長さは、ＦＦＴサイズによらず一定（５１２ビット−１３６ビット＝３７６ビット）となる。
【００４７】
ここで、それぞれの同期用ビットの先頭は、後述する差動復調処理の基準とすることができる。
【００４８】
差動変調部１０Ｃは、データ合成・分離部１０Ｂから入力されたＴＭＣＣ信号の各々に対して差動変調処理を施すように構成されている。
【００４９】
キャリア変調部１０Ｄは、差動変調部１０Ｃから入力されたＴＭＣＣ信号に対してキャリア変調処理を施すように構成されている。
【００５０】
例えば、キャリア変調部１０Ｄは、同期用ビット及びＴＭＣＣ情報＃１（例えば、ランク＃１）に対してはＢＰＳＫでキャリア変調処理を施し、ＴＭＣＣ情報＃２（例えば、ランク＃２）に対してはＱＰＳＫでキャリア変調処理を施すように構成されていてもよい。
【００５１】
ここで、本実施形態に係る送信装置では、ＴＭＣＣ情報＃１及びＴＭＣＣ情報＃２の符号長については、誤り訂正符号化処理及びキャリア変調処理が施された後に使用されているシンボル数が、図１に示す「１ＯＦＤＭフレームあたりのＯＦＤＭシンボル数」に等しくなるように設定するように構成されている。
【００５２】
例えば、本実施形態に係る送信装置において、同期用ビットの１３６ビット及び誤り訂正符号化処理が施されたＴＭＣＣ情報＃１の２７２ビットがＢＰＳＫでキャリア変調処理が施されて４０８シンボルとなり、誤り訂正符号化処理が施されたＴＭＣＣ情報＃２の２０８ビットがＱＰＳＫでキャリア変調処理が施されて１０４シンボルとなり、合計で５１２シンボルとなる。
【００５３】
時間・周波数インターリーブ部１０Ｅは、キャリア変調部１０Ｄから入力された信号に対して、時間インターリーブ処理及び周波数インターリーブ処理を施すように構成されている。
【００５４】
例えば、時間・周波数インターリーブ部１０Ｅは、時間インターリーブ処理については、同期用ビットに対してキャリア変調処理を施した部分を除いた全ての部分（ＴＭＣＣ情報＃１、ＴＭＣＣ情報＃２及びパリティ）に適用し、１ＯＦＤＭフレーム内で完結するインターリーブ（ランダマイズやローテーション等）を行うように構成されている。
【００５５】
かかる時間インターリーブ処理を行うことで、誤り訂正符号化処理において複数のブロック符号を用いた場合や畳み込み符号等を用いた場合においても、誤り訂正能力を向上させることができる。
【００５６】
また、時間・周波数インターリーブ部１０Ｅは、周波数インターリーブ処理については、同期用ビットに対してキャリア変調を施した部分を除いた全ての部分（ＴＭＣＣ情報＃１、ＴＭＣＣ情報＃２及びパリティ）に適用し、ＦＦＴサイズが８ｋポイント以上の場合で、かつ、２本以上のキャリアによってＴＭＣＣ情報を伝送する場合に実施するように構成されている。
【００５７】
かかる周波数インターリーブ処理を用いることで、マルチパスに対する伝送耐性を向上させることができる。
【００５８】
なお、本実施形態に係る送信装置では、かかる時間・周波数インターリーブ部１０Ｅが設けられていなくてもよい。
【００５９】
本実施形態に係る送信装置は、以上の手順で生成したＴＭＣＣ信号を、ＯＦＤＭフレームにおけるＴＭＣＣを送信するためのキャリアへ多重する。
【００６０】
ＯＦＤＭフレームにおけるＴＭＣＣを送信するためのキャリアが、上述のようにＦＦＴサイズに基づいて決定されたキャリア数よりも多く存在する場合は、本実施形態に係る送信装置は、同じＴＭＣＣ情報を複数のキャリアで伝送するように構成されていてもよい。
【００６１】
例えば、本実施形態に係る送信装置は、ＦＦＴサイズが３２ｋポイントであり、「ｎｏｒｍａｌ」の１３セグメントにＴＭＣＣ情報を多重する場合、１セグメントあたりのＯＦＤＭフレームには、ＴＭＣＣを送信するためのキャリアが１６本存在するため、２６ブロック（２ブロック×１３セグメント）でＴＭＣＣ情報を伝送することができ、本実施形態に係る受信装置において、ブロック間で多数決判定することにより、伝送耐性を高めることができる。
【００６２】
図８に示すように、本実施形態に係る受信装置は、ＴＭＣＣ情報を復調するように構成されているＴＭＣＣ復調部２０を具備している。
【００６３】
ＴＭＣＣ復調部２０は、図８に示すように、時間・周波数デインターリーブ部２０Ａと、キャリア復調部２０Ｂと、差動復調部２０Ｃと、データ合成・分離部２０Ｄと、誤り訂正復号部２１Ｅ/２２Ｅとを具備している。
【００６４】
本実施形態に係る受信装置は、後述するように、ＦＴＴサイズに基づいて、ＴＭＣＣ情報を含む信号に対して施す復調処理の方法を変更するように構成されている。
【００６５】
また、本実施形態に係る受信装置は、ＴＭＣＣ情報に対応するランクに基づいて、ＴＭＣＣ情報を取得するために使用すべき復調方式及び誤り訂正復号化方式の少なくとも一方を変更するように構成されている。
【００６６】
時間・周波数デインターリーブ部２０Ａは、同期用ビットによってフレーム同期が確立された後、ＯＦＤＭフレームから抽出されたＴＭＣＣを送信するためのキャリアのうち、ＦＦＴサイズに応じた本数のキャリアを１ブロックとして、時間デインターリーブ処理及び周波数デインターリーブ処理を施すように構成されている。
【００６７】
キャリア復調部２０Ｂは、時間・周波数デインターリーブ部２０Ａによって入力されたＴＭＣＣ情報に対してキャリア復調処理を施すように構成されている。
【００６８】
例えば、キャリア復調部２０Ｂは、同期用ビット及びＴＭＣＣ情報＃１（例えば、ランク＃１）に対してはＢＰＳＫでキャリア復調処理を施し、ＴＭＣＣ情報＃２（例えば、ランク＃２）に対してはＱＰＳＫでキャリア復調処理を施すように構成されていてもよい。
【００６９】
差動復調部２０Ｃは、キャリア復調部２０Ｂから入力されたＴＭＣＣ信号に対して差動復調処理を施すように構成されている。
【００７０】
データ合成・分離部２０Ｄは、差動復調部２０Ｃから入力されたＴＭＣＣ信号の各々に含まれている同期用ビットを除き、ＴＭＣＣ情報＃１/＃２を合成した後、ＴＭＣＣ情報＃１/＃２に分離するように構成されている。
【００７１】
誤り訂正復号部２１Ｅは、データ合成・分離部２０Ｄから入力されたＴＭＣＣ情報＃１に対して誤り訂正復号処理を施し、誤り訂正復号部２２Ｅは、データ合成・分離部２０Ｄから入力されたＴＭＣＣ情報＃２に対して誤り訂正復号処理を施すように構成されている。
【００７２】
本実施形態に係るデジタル放送システムによれば、ＦＦＴサイズに応じた本数のキャリアでＴＭＣＣ情報を伝送することで、１ＯＦＤＭフレームあたりのＯＦＤＭシンボル数が少ない場合であっても、必要な伝送パラメータを含むＴＭＣＣ情報を伝送することができる。
【００７３】
また、本実施形態に係るデジタル放送システムによれば、ＴＭＣＣ情報＃１/＃２に対して別々のランクを設定し、かかるランクに応じて、ＴＭＣＣ情報＃１/＃２に対して用いる変調方式や誤り訂正符号化方式を変更することで、ＴＭＣＣを送信するためのキャリアの伝送容量を増やすことができる。
【００７４】
さらに、本実施形態に係るデジタル放送システムによれば、ＴＭＣＣ情報＃１/＃２の変調処理において、時間インターリーブ処理及び周波数インターリーブ処理を施すことにより、時間インターリーブ処理及び周波数インターリーブ処理の効果で、ＴＭＣＣを送信するためのキャリアの伝送耐性を確保することができる。
【００７５】
（第２の実施形態）
図９乃至図１２を参照して、本発明の第２の実施形態に係るデジタル放送システムについて、上述の第１の実施形態に係るデジタル放送システムとの相違点に着目して説明する。
【００７６】
図９乃至図１２に、本実施形態に係る送信装置のＴＭＣＣ変調部１０によって変調されるＴＭＣＣ情報＃１及びＴＭＣＣ情報＃２の一例を示す。
【００７７】
上述の第１の実施形態に係る送信装置は、図３に示すように、「部分受信フラグ」、「Ａ階層伝送パラメータ」、「Ｂ階層伝送パラメータ」及び「Ｃ階層伝送パラメータ」について、８５ビットのカレント情報（現在の伝送パラメータ）及び８５ビットのネクスト情報（切り替え後の伝送パラメータ）で同時に伝送するように構成されていたが、本実施形態に係る送信装置は、図９に示すように、通常は、１６９ビットの「カレント/ネクスト情報」で、カレント情報のみを伝送するように構成されている、すなわち、ネクスト情報については常時送信しないように構成されている。
【００７８】
そして、本実施形態に係る送信装置は、伝送パラメータを切り替える際の所定期間内において、カレント情報及びネクスト情報を交互に伝送するように構成されている。
【００７９】
ここで、本実施形態に係る送信装置において、上述の伝送パラメータを切り替える際の動作の一例について説明する。
【００８０】
第１に、本実施形態に係る送信装置は、上述の伝送パラメータを切り替える１５フレーム前より「伝送パラメータ切替指標」のカウントダウンを開始する。
【００８１】
第２に、本実施形態に係る送信装置は、かかるカウントダウン中に（すなわち、所定期間内において）、上述の「カレント/ネクスト情報」で、カレント情報及びネクスト情報を交互に伝送する。
【００８２】
ここで、本実施形態に係る送信装置は、カレント情報及びネクスト情報を交互に伝送している際に、現在のフレームで伝送している情報がカレント情報なのか或いはネクスト情報なのかについて、１ビットの「カレント/ネクストフラグ」で明示する。
【００８３】
第３に、本実施形態に係る送信装置は、伝送パラメータを切り替えた後は、ＴＭＣＣ情報が更新されたことが分かるように「ＴＭＣＣ情報更新フラグ」を反転させる。
【００８４】
このように「ＴＭＣＣ情報更新フラグ」を反転させることにより、本実施形態に係る受信装置が、伝送パラメータの切り替え時に受信状態が悪く、伝送パラメータの切り替えが検知できない場合でも、「ＴＭＣＣ情報更新フラグ」が反転している場合に、「カレント/ネクスト情報」を復調し直すことで、伝送パラメータが変更されたことを検知することができる。
【００８５】
本実施形態に係るデジタル放送システムによれば、カレント情報及びネクスト情報を交互に伝送することで、ＴＭＣＣ情報の伝送容量を増やすことなく、伝送できる伝送パラメータの情報量を多くすることが可能となる。
【００８６】
以上に述べた本実施形態の特徴は、以下のように表現されていてもよい。
【００８７】
本実施形態の第１の特徴は、送信装置であって、ＦＴＴサイズに基づいて、ＴＭＣＣ情報を送信するためのキャリアの数を変更するように構成されていることを要旨とする。
【００８８】
本実施形態の第２の特徴は、送信装置であって、ＴＭＣＣ情報に対応するランクに基づいて、かかるＴＭＣＣ情報に対して施すべき変調方式及び誤り訂正符号化方式の少なくとも一方を変更するように構成されていることを要旨とする。
【００８９】
本実施形態の第３の特徴は、送信装置であって、ＴＭＣＣ情報で、ネクスト情報については常時送信しないように構成されており、伝送パラメータを切り替える際の所定期間において、ＴＭＣＣ情報で、カレント情報及びネクスト情報を交互に送信するように構成されていることを要旨とする。
【００９０】
本実施形態の第１乃至第３の特徴において、ＴＭＣＣ情報に対してキャリア変調処理を施した信号に対して、周波数方向のインターリーブ処理及び時間方向のインターリーブ処理を施すように構成されていてもよい。
【００９１】
本実施形態の第４の特徴は、受信装置であって、ＦＴＴサイズに基づいて、ＴＭＣＣ情報を含む信号に対して施す復調処理の方法を変更するように構成されていることを要旨とする。
【００９２】
本実施形態の第５の特徴は、受信装置であって、ＴＭＣＣ情報に対応するランクに基づいて、ＴＭＣＣ情報を取得するために使用すべき復調方式及び誤り訂正復号化方式の少なくとも一方を変更するように構成されていることを要旨とする。
【００９３】
本実施形態の第６の特徴は、受信装置であって、ＴＭＣＣ情報から、ネクスト情報については常時取得しないように構成されており、伝送パラメータを切り替える際の所定期間において、ＴＭＣＣ情報から、カレント情報及びネクスト情報を交互に取得するように構成されていることを要旨とする。
【００９４】
本実施形態の第４乃至第６の特徴において、ＴＭＣＣ情報を含む信号に対して、周波数方向のインターリーブ処理及び時間方向のインターリーブ処理を施した後に、キャリア復調処理を施すように構成されていてもよい。
【００９５】
本実施形態の第７の特徴は、受信装置に搭載されるチップであって、ＦＴＴサイズに基づいて、ＴＭＣＣ情報を含む信号に対して施す復調処理の方法を変更するように構成されていることを要旨とする。
【００９６】
本実施形態の第８の特徴は、受信装置に搭載されるチップであって、ＴＭＣＣ情報に対応するランクに基づいて、かかるＴＭＣＣ情報を取得するために使用すべき復調方式及び誤り訂正復号化方式の少なくとも一方を変更するように構成されていることを要旨とする。
【００９７】
本実施形態の第９の特徴は、受信装置に搭載されるチップであって、ＴＭＣＣ情報から、ネクスト情報については常時取得しないように構成されており、伝送パラメータを切り替える際の所定期間において、ＴＭＣＣ情報から、カレント情報及びネクスト情報を交互に取得するように構成されていることを要旨とする。
【００９８】
本実施形態の第７乃至第９の特徴において、ＴＭＣＣ情報を含む信号に対して、周波数方向のインターリーブ処理及び時間方向のインターリーブ処理を施した後に、キャリア復調処理を施すように構成されていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
１０…ＴＭＣＣ変調部
１１Ａ、１２Ａ…誤り訂正符号化部
１０Ｂ…データ合成・分離部
１０Ｃ…差動変調部
１０Ｄ…キャリア変調部
１０Ｅ…時間・周波数インターリーブ部
２０…ＴＭＣＣ復調部
２０Ａ…時間・周波数デインターリーブ部
２０Ｂ…キャリア復調部
２０Ｃ…差動復調部
２０Ｄ…データ合成・分離部
２１Ｅ、２２Ｅ…誤り訂正復号部
【図１】
2015070279.tif 000003
【図２】
2015070279.tif 000004
【図３】
2015070279.tif 000005
【図４】
2015070279.tif 000006
【図５】
2015070279.tif 000007
【図６】
2015070279.tif 000008
【図７】
2015070279.tif 000009
【図８】
2015070279.tif 000010
【図９】
2015070279.tif 000011
【図１０】
2015070279.tif 000012
【図１１】
2015070279.tif 000013
【図１２】
2015070279.tif 000014